【手続補正書】
【提出日】平成26年5月20日(2014.5.20)
【手続補正１】
【補正対象書類名】明細書
【補正対象項目名】発明の名称
【補正方法】変更
【補正の内容】
【発明の名称】画像処理装置およびその方法、並びに、画像再生装置
【手続補正２】
【補正対象書類名】特許請求の範囲
【補正対象項目名】全文
【補正方法】変更
【補正の内容】
【特許請求の範囲】
【請求項１】
被写体と撮像装置の位置関係を連続的に変化させながら撮影した複数フレームからなる画像を符号化して符号化画像を作成する画像処理装置であって、
前記複数フレームを、フレーム内符号化を行う第一のフレームと、フレーム間予測符号化を行う第二のフレームに分類する分類手段と、
前記第一のフレームについて、フレーム内符号化を行うフレーム内符号化手段と、
前記第二のフレームについて、前記符号化画像を順方向に再生する際のフレーム並びにおけるフレーム間予測符号化である第一のフレーム間予測符号化を行う第一のフレーム間予測符号化手段と、
前記第二のフレームについて、前記符号化画像を前記順方向とは逆方向に再生する際のフレーム並びにおけるフレーム間予測符号化である第二のフレーム間予測符号化を行う第二のフレーム間予測符号化手段と、
前記フレーム内符号化された第一のフレーム、前記第一のフレーム間予測符号化された第二のフレームおよび前記第二のフレーム間予測符号化された第二のフレームを符号化単位として、前記符号化画像を作成する作成手段とを有し、
前記第一および第二のフレーム間予測符号化手段は、同一のフレームに対する互いの復号結果が同一または無視できる程度に誤差が小さくなるような符号化データを生成することを特徴とする画像処理装置。
【請求項２】
前記第一および第二のフレーム間予測符号化手段はフレーム間の差分を可逆符号化することを特徴とする請求項1に記載された画像処理装置。
【請求項３】
前記第一および第二のフレーム間予測符号化手段のうち一方は、前方向予測されたフレームのみを符号化することを特徴とする請求項2に記載された画像処理装置。
【請求項４】
前記分類手段は、前記第二のフレームをさらに、当該フレームより前に再生される参照フレームとの相関を利用した予測により符号化する前方向予測フレームと、当該フレームの前後に再生される参照フレームとの相関を利用した予測により符号化する両方向予測フレームに分類し、
前記第一のフレーム間予測符号化手段は、前記前方向予測フレームを符号化した符号化データと、前記両方向予測フレームを符号化した符号化データを生成し、
前記第二のフレーム間予測符号化手段は、前記前方向予測フレームを符号化した符号化データのみを生成することを特徴とする請求項1に記載された画像処理装置。
【請求項５】
さらに、前記第一および第二のフレーム間予測符号化手段による同一フレームの符号化データを再生した再生フレーム間における差分情報を生成する生成手段を有し、
前記作成手段は、前記符号化単位に前記差分情報を付加した前記符号化画像を作成することを特徴とする請求項1に記載された画像処理装置。
【請求項６】
前記分類手段は、前記第二のフレームをさらに、当該フレームより前に再生される参照フレームとの相関を利用した予測により符号化する前方向予測フレームと、当該フレームの前後に再生される参照フレームとの相関を利用した予測により符号化する両方向予測フレームに分類し、
前記第一および第二のフレーム間予測符号化手段は、前記前方向予測フレームを符号化した符号化データと、前記両方向予測フレームを符号化した符号化データを生成し、
前記生成手段は、前記前方向予測フレームについて前記差分情報を生成することを特徴とする請求項5に記載された画像処理装置。
【請求項７】
請求項1から請求項4の何れか一項に記載された画像処理装置によって作成された符号化画像を入力する入力手段と、
前記符号化画像の再生方向として、順方向および逆方向の何れかを指定する指定手段と、
前記符号化画像における再生フレームを前記再生方向に応じて決定する決定手段と、
該決定された再生フレームを、前記再生方向が順方向である場合は前記画像処理装置の第一のフレーム間予測符号化手段による符号化データを用いて復号し、前記再生方向が逆方向である場合は前記画像処理装置の第二のフレーム間予測符号化手段による符号化データを用いて復号する復号手段とを有することを特徴とする画像再生装置。
【請求項８】
請求項5または請求項6に記載された画像処理装置によって作成された符号化画像を入力する入力手段と、
前記符号化画像の再生方向として、順方向および逆方向の何れかを指定する指定手段と、
前記符号化画像における再生フレームを前記再生方向に応じて決定する決定手段と、
該決定された前記再生フレームを、前記再生方向が順方向である場合は前記画像処理装置の第一のフレーム間予測符号化手段による符号化データを用いて復号し、前記再生方向が逆方向である場合は前記画像処理装置の第二のフレーム間予測符号化手段による符号化データを用いて復号する復号手段と、
前記再生フレームを復号する際に前記復号手段により参照された参照フレームが、前記指定された再生方向とは異なる再生方向において復号されたフレームである場合、前記再生フレームの復号結果に対して前記符号化画像に付加された差分情報の加算または減算を行う演算手段と、
前記復号手段が復号した再生フレーム、あるいは、前記差分情報の加算または減算が行われた再生フレームを表示する表示手段とを有することを特徴とする画像再生装置。
【請求項９】
前記指定手段により、さらに再生停止の指定が可能であり、
前記決定手段は、前記指定された再生方向に応じて前記再生フレームを所定のタイミングで逐次更新し、前記再生停止が指定された場合に該再生フレームの更新を停止することを特徴とする請求項7または請求項8に記載された画像再生装置。
【請求項１０】
被写体と撮像装置の位置関係を連続的に変化させながら撮影した複数フレームからなる画像を符号化して符号化画像を作成する画像処理方法であって、
前記複数フレームを、フレーム内符号化を行う第一のフレームと、フレーム間予測符号化を行う第二のフレームに分類し、
前記第一のフレームについてフレーム内符号化を行い、
前記第二のフレームについて、前記符号化画像を順方向に再生する際のフレーム並びにおけるフレーム間予測符号化である第一のフレーム間予測符号化を行い、
前記第二のフレームについて、前記符号化画像を前記順方向とは逆方向に再生する際のフレーム並びにおけるフレーム間予測符号化である第二のフレーム間予測符号化を行い、
前記フレーム内符号化された第一のフレーム、前記第一のフレーム間予測符号化された第二のフレームおよび前記第二のフレーム間予測符号化された第二のフレームを符号化単位として、前記符号化画像を作成し、
前記第一および第二のフレーム間予測符号化は、同一のフレームに対する互いの復号結果が同一または無視できる程度に誤差が小さくなるような符号化データを生成することを特徴とする画像処理方法。
【請求項１１】
コンピュータ装置を、請求項1から請求項6の何れか一項に記載された画像処理装置の各手段、または、請求項7から請求項9の何れか一項に記載された画像再生装置の各手段として機能させるためのプログラム。
【手続補正３】
【補正対象書類名】明細書
【補正対象項目名】０００１
【補正方法】変更
【補正の内容】
【０００１】
本発明は、連続性を有する複数フレームからなる画像の符号化に関する。
【手続補正４】
【補正対象書類名】明細書
【補正対象項目名】００１６
【補正方法】変更
【補正の内容】
【００１６】
本発明は、被写体と撮像装置の位置関係を連続的に変化させながら撮影した複数フレームからなる画像を符号化して符号化画像を作成する際に、前記複数フレームを、フレーム内符号化を行う第一のフレームと、フレーム間予測符号化を行う第二のフレームに分類し、前記第一のフレームについて、フレーム内符号化を行い、前記第二のフレームについて、前記符号化画像を順方向に再生する際のフレーム並びにおけるフレーム間予測符号化である第一のフレーム間予測符号化を行い、前記第二のフレームについて、前記符号化画像を前記順方向とは逆方向に再生する際のフレーム並びにおけるフレーム間予測符号化である第二のフレーム間予測符号化を行い、前記フレーム内符号化された第一のフレーム、前記第一のフレーム間予測符号化された第二のフレームおよび前記第二のフレーム間予測符号化された第二のフレームを符号化単位として、前記符号化画像を作成し、前記第一および第二のフレーム間予測符号化は、同一のフレームに対する互いの復号結果が同一または無視できる程度に誤差が小さくなるような符号化データを生成することを特徴とする。